(57)【特許請求の範囲】
【請求項１】
筐体の一方の側面と天面と底面を形成するベースカバーと、筐体の他方の側面を形成するサイドカバーとをそれぞれの上部及び下部に設けた爪と溝の嵌合により相互に取り付けるとともに、ベースカバー又はサイドカバーの上部爪の長さを、ベースカバー及びサイドカバーの、上部爪の長さ方向の弾性変形量より大きくし、筐体の前面を形成するフロントカバーとベースカバーとをそれぞれの上部及び下部に設けた爪と溝の嵌合により相互に取り付けるとともに、フロントカバー又はベースカバーの上部爪の長さを、フロントカバー及びベースカバーの、上部爪の長さ方向の弾性変形量より大きくし、かつベースカバーの底面をスタンドの上面上にサイドカバーの爪と溝との下部嵌合部を挟み込むように取り付けたことを特徴とする電子機器の筐体。
【請求項２】
上記上部爪にはその長さ方向に貫通する孔を設け、上記溝の上面には上記孔に嵌合する扇形の突起を設けたことを特徴とする請求項１記載の電子機器の筐体。
【発明の詳細な説明】
【技術分野】
【０００１】
この発明は、セキュリティ性を高める必要がある電子機器の筐体に関するものである。
【背景技術】
【０００２】
意匠的に外観に見える部分にねじを極力使わない電子機器の一般的な各ケース同士の嵌合部断面図を図９（ａ）に示す。図において、１，２はケースであり、ケース１には爪１ａが設けられるとともに、ケース２には溝２ａが設けられ、爪１ａと溝２ａとは嵌合される。そして、これらのケース１，２を嵌合させるとき、ケース１とその爪１ａは矢印３に示すように一旦内側方向に弾性変形させるとともに、ケース２とその溝２ａは矢印４に示すように一旦外側方向に弾性変形させ、図９（ｂ）に示すように爪１ａを溝２ａに嵌合させる。これにより、ケース１，２を容易に組み立てることができる。
【０００３】
なお、この出願の発明に関連する先行技術文献情報としては次のものがある。
【特許文献１】実開昭６１−９８８８号公報
【発明の開示】
【発明が解決しようとする課題】
【０００４】
前記したように、従来の電子機器では、意匠的に筐体のパーツ同士を極力ねじ止めしない場合には、筐体のパーツ同士の接合は爪と溝による嵌合により行われていた。この場合、図１０に示すように、爪１ａと溝２ａとの嵌合のみに頼っているため、矢印５に示すように外力が加わると、嵌合部分が容易に外れてしまい、簡単に分解することとなった。
【０００５】
この発明は上記のような課題を解決するために成されたものであり、意匠的に極力ねじ止めを使用しない場合においても、容易に分解しない電子機器の筐体を得ることを目的とする。
【課題を解決するための手段】
【０００６】
この発明の請求項１に係る電子機器の筐体は、筐体の一方の側面と天面と底面を形成するベースカバーと、筐体の他方の側面を形成するサイドカバーと、をそれぞれの上部及び下部に設けた爪と溝の嵌合により相互に取り付けるとともに、ベースカバー又はサイドカバーの上部爪の長さを、ベースカバー及びサイドカバーの、上部爪の長さ方向の弾性変形量より大きくし、筐体の前面を形成するフロントカバーとベースカバーとをそれぞれの上部及び下部に設けた爪と溝の嵌合により相互に取り付けるとともに、フロントカバー又はベースカバーの上部爪の長さはフロントカバー及びベースカバーの、上部爪の長さ方向の弾性変形量より大きくし、かつベースカバーの底面をスタンドの上面上にサイドカバーの爪と溝との下部嵌合部を挟み込むように取り付けたものである。
この発明の請求項２に係る電子機器の筐体は、上記上部爪にその長さ方向に貫通する孔を設け、上記溝の上面には上記孔に嵌合する扇形の突起が設けたことを特徴とする。
【発明の効果】
【０００７】
以上のようにこの発明の請求項１によれば、各カバーの上部嵌合部においては、上部爪の長さが各カバーの弾性変形量より大きいので、対応した溝から外れることは無く、またスタンドの上面上にベースカバーの底面をサイドカバーの爪と溝との下部嵌合部を挟み込むようにして取り付けており、サイドカバーの下部嵌合部はスタンドに隠れて指で押すことが難しくなるとともに、ベースカバーとスタンドに挟まれて変形し難くなり、またベースカバーの底面もスタンドに取り付けられているため、変形し難くなり、筐体の分解は難しくなる。
【発明を実施するための最良の形態】
【０００８】
以下、この発明を実施するための最良の形態を図面とともに説明する。図２（ａ），（ｂ）はこの発明の実施最良形態による電子機器の筐体の正面図及び側面図を示し、図３は実施最良形態による電子機器の筐体の斜視図を示す。図において、６はスタンド、７は筐体の一方の側面、天面、及び底面を形成するベースカバーであるが、ベースカバー７は図示しない背面も一体に形成している。８は筐体の他方の側面を形成するサイドカバー、９は筐体の前面を形成するフロントカバーである。これらのカバー７〜９は弾性変形可能な材料により形成されている。図４（ａ），（ｂ）はベースカバー７とサイドカバー８との上部嵌合構造を示す縦断正面図及び斜視図を示し、ベースカバー７は上部に撓み性のある上部爪７ａを有し、上部爪７ａはサイドカバー８の上部に設けられた溝８ａと嵌合する。上部爪７ａの長さ（上部爪７ａの垂直方向の肉厚）Ｌ１は、ベースカバー７及びサイドカバー８の弾性変形量よりも長くなっている。
【０００９】
図５はベースカバー７とサイドカバー８の下部嵌合構造を示し、ベースカバー７の下部に設けられた下部爪７ｂも撓み性のある爪となっており、サイドカバー８の下部の溝８ｂと嵌合する。爪７ａ，７ｂと溝８ａ，８ｂとの嵌合に際しては、上部爪７ａと上部溝８ａとを嵌合した状態で図６に示すように上部を基点としてサイドカバー８を回転させるようにして、下部爪７ｂと下部溝８ｂとを嵌合させる。このようにして、ベースカバー７とサイドカバー８とを相互に取り付ける。
【００１０】
図７（ａ）〜（ｃ）はフロントカバー９とベースカバー７との接合構造を示す断面図、そのＡ部拡大図及びＢ部拡大図を示し、上部嵌合部におけるフロントカバー９の上部に設けられた上部爪９ａはベースカバー７の上部に設けられた上部溝７ｃと嵌合する。上部爪９ａの長さＬ２はフロントカバー９及びベースカバー７の弾性変形量より大きくする。又、下部嵌合部におけるフロントカバー９の下部爪９ｂはベースカバー７の下部溝７ｄと嵌合する。図８はフロントカバー９とベースカバー７及びサイドカバー８との係合断面図を示し、ベースカバー７及びサイドカバー８の側部中間部に設けられた係合部７ｅ，８ｃの外側から挟み込むようにフロントカバー９の側部中間部に設けられた係合部９ｃを係合させる。
【００１１】
このように、ベースカバー７とサイドカバー８の上部及び下部を嵌合により取り付けた後、その前面にフロントカバー９を嵌合と係合により取り付け、最後に図１（ａ），（ｂ）に示すようにスタンド６の突出した上面６ａ上にベースカバー７の底面をサイドカバー８の爪と溝との下部嵌合部を挟み込むようにして通常のドライバーでは回すことができない図示しない特殊ねじにより取り付け、筐体が完成する。
【００１２】
前記のように形成された筐体を分解しようとする場合、従来の分解時と同様に、図１０の矢印５に示すように爪１ａと溝２ａとの嵌合部に外力を加えることになる。しかしながら、ベースカバー７の上部爪７ａの長さ及びフロントカバー９の上部爪９ａの長さはそれぞれのカバーの弾性変形量より大きいので、対応した溝から外れることがない。又、スタンド６の突出した上面６ａ上にベースカバー７の底面をサイドカバー８との下部嵌合部を挟み込むようにして取り付けており、サイドカバー８の下部嵌合部はスタンド６に隠れており、直接指で押すことはできず、またベースカバー７の底面はスタンド６に取り付けられているので変形し難く、さらにサイドカバー８の下部嵌合部もスタンド６とベースカバー７の底面との間に挟まれているので、下部嵌合部も変形し難い。このため、上部嵌合部も下部嵌合部も外力により外れることはなく、分解が難しい嵌合構造を得ることができる。
【００１３】
なお、前記実施最良形態においては、例えばベースカバー７とサイドカバー８の上部、下部の嵌合構造においては、ベースカバー７に爪７ａ，７ｂを設け、サイドカバー８に溝８ａ，８ｂを設けたが、これを逆にしてもよい。他の嵌合構造においても同様である。
【図面の簡単な説明】
【００１４】
【図１】この発明の実施最良形態による電子機器の筐体におけるスタンドにベースカバーとサイドカバーを取り付けた状態の縦断正面図及びそのＣ部拡大図である。
【図２】実施最良形態による電子機器の筐体の正面図及び側面図である。
【図３】実施最良形態による電子機器の筐体の斜視図を示す。
【図４】実施最良形態による電子機器の筐体におけるベースカバーとサイドカバーの上部嵌合構造を示す縦断正面図及び斜視図である。
【図５】実施最良形態による電子機器の筐体におけるベースカバーとサイドカバーの下部嵌合構造を示す縦断正面図である。
【図６】実施最良形態による電子機器の筐体におけるベースカバーとサイドカバーの上部嵌合部を嵌合した状態の斜視図である。
【図７】実施最良形態による電子機器の筐体におけるフロントカバーとベースカバーとの嵌合構造を示す縦断正面図及びそのＡ部拡大図、Ｂ部拡大図である。
【図８】実施最良形態による電子機器の筐体におけるフロントカバーとベースカバー及びサイドカバーとの接合構造を示す横断平面図である。
【図９】従来のねじを極力使わない電子機器ケースの嵌合前及び嵌合後における嵌合構造の断面図である。
【図１０】従来のねじを極力使わない電子機器ケースの嵌合構造が外力により分解することを説明する断面図である。
【符号の説明】
【００１５】
６…スタンド
６ａ…上面
７…ベースカバー
７ａ，７ｂ，９ａ，９ｂ…爪
７ｃ，７ｄ，８ａ，８ｂ…溝
７ｅ，８ｃ，９ｃ…係合部
８…サイドカバー
９…フロントカバー
【図１】
0004941271.tif 000002
【図２】
0004941271.tif 000003
【図３】
0004941271.tif 000004
【図４】
0004941271.tif 000005
【図５】
0004941271.tif 000006
【図６】
0004941271.tif 000007
【図７】
0004941271.tif 000008
【図８】
0004941271.tif 000009
【図９】
0004941271.tif 000010
【図１０】
0004941271.tif 000011